(57)【要約】【課題】コインを使用することなく作動でき、押ボタンを押圧してから回転用摘みを一回転せしめるだけの簡単な一回の操作によって、一個宛無作為にカプセル入玩具（或いは景品）を取出せ、不正な操作が行い難く、取扱い容易で、使い勝手に優れ、確実な動作が期待でき、耐久性に優れ、構成簡素で、量産に適し、経済的で、カプセル入玩具用供給機等の作動装置として最適なものを提供する。【解決手段】ケース１と回転用摘み５と押ボタン１０とを有し、押ボタン１０の押圧で、押込み状態維持機構を作動すると共に、係止凹部６と押ボタン１０の係止状態を解除し、回転用摘み５を一回転させると、カプセル入り玩具或いは景品類が供給機等の取出し口から取出せると共に、押込み状態維持機構を解除し、押ボタン１０が係止凹部６に係止して回転用摘み５の回転を阻止するように構成する。【選択図】図１
0003106926.tif 000002
【実用新案登録請求の範囲】
【請求項１】
カプセルに夫々収納されている複数種類の適宜玩具或いは景品類を、一個宛無作為に取出せるように構成されている供給機等の作動装置であって、供給機等の適宜位置に装着される作動装置のケースと、所定向きに回転自在となるようケースに装着される回転用摘みと、この回転用摘みの回転中心線に対して平行となる前後方向に摺動自在となるようケースに装着されると共に、ケース正面がわに出没して回転用摘みに設けた係止凹部に係脱自在に係止可能となる押ボタンとを有し、この押ボタンを押圧して後方に摺動せしめると、押込み状態維持機構が作動して、押ボタンの押込み状態が維持されると同時に、係止凹部と押ボタンの係止状態が解除されて、回転用摘みが所定向きに回転可能となるように形成し、そして回転用摘みが一回転すると、回転用摘みの摘み軸に固定した連繋歯車に連繋されている適宜供給機構が作動して、カプセル入り玩具或いは景品類が供給機等の取出し口から取出せるようになると共に、押込み状態維持機構が解除されて、押ボタンが弾発スプリングの弾発力によって前方に摺動し、押ボタンが係止凹部に係止されて回転用摘みの回転を阻止できるように構成したことを特徴とするカプセル入玩具用供給機等の作動装置。
【請求項２】
前記押込み状態維持機構は、ケースに固定された後部取付板に装着されるロック用バネと、回転用摘みの摘み軸に装着される回転体とからなり、ロック用バネは、略中央部分が後部取付板の支点部で支持されると共に、基端部分が後部取付板の固定部に固定されて、先端がわ部分の係止杆部が押ボタンの押ボタン軸の外表面に常時圧接するように形成され、押ボタンを押圧して後方に摺動せしめたときに、押ボタン軸に周設した係止切欠溝に係止杆部が係止されて、押ボタンの摺動を阻止できるように形成し、回転体には、作動突起を設け、この作動突起は、回転用摘みの回転によって係止杆部の先端部分をロック用バネの弾発力に抗して弾き、係止杆部と係止切欠溝の係止状態を解除して、押込み状態維持機構の解除が行えるように構成したことを特徴とする請求項１記載のカプセル入玩具用供給機等の作動装置。
【請求項３】
後部取付板に逆転防止ストッパーを揺動自在に装着すると共に、回転体に逆転防止突起を突設し、回転用摘みが所定向きに対して反対の向きに回転しようとすると、逆転防止突起が逆転防止ストッパーの先端縁部分に当接して、回転用摘みの逆向き回転が阻止されるように構成し、回転用摘みが所定向きに回転すると、逆転防止突起が逆転防止ストッパーの側縁部分に当接すると共に、弾発スプリングの弾発力に抗して逆転防止ストッパーを揺動させながら、逆転防止突起が通過して、回転用摘みが一回転できるように構成したことを特徴とする請求項２記載のカプセル入玩具用供給機等の作動装置。
【考案の詳細な説明】
【技術分野】
【０００１】
本考案は、主に、パチンコ店、パチスロ店等の遊技場や、イベント会場や、福引会場や、その他の適宜店舗や会場内に設置されると共に、略球体状のカプセル内に夫々収納されている複数種類の適宜玩具や景品類を、一回の操作で一個宛無作為に取出せるように構成されている供給機（或いは、抽選機）の作動装置であって、例えば、パチンコ店に於いて景品交換をする際に生じた端玉（はしたの玉）とカプセル入玩具等とを交換するための供給機として利用したり、或いは、各種イベント等でのプレゼントの抽選機として利用したりする際に、供給機（或いは抽選機）が確実に且つ正確に動作できるように工夫したカプセル入玩具用供給機等の作動装置に関するものである。
【背景技術】
【０００２】
従来、この種のカプセル入玩具用供給機等の作動装置としては、例えば、特許文献１や、特許文献２に示すようなものが開示されているが、これらは、コインを投入することによって作動するように構成されたものが殆どである。
【０００３】
【特許文献１】登録実用新案第３０３８９１２号
【特許文献２】特開２０００−２４５９５１
【考案の開示】
【考案が解決しようとする課題】
【０００４】
ところが、パチンコ店に於いて景品交換をする際に生じた端玉（はしたの玉）と交換するための供給機として利用したり、或いは、各種イベント等でのプレゼントの抽選機として利用したりする場合、法的にコインを使用できなかったり、或いは、コインの使用が不向きであったりする等の問題点が存在していた。
【課題を解決するための手段】
【０００５】
そこで、本考案は、コインを使用しなくても、一回の操作で一個宛無作為にカプセル入玩具（或いは景品）が取出せるような作動装置を提供すべく案出されたもので、取扱いが容易で、使い勝手に優れ、確実な動作が期待でき、耐久性に優れ、しかも、構成が簡素で、量産に適し、経済的なカプセル入玩具用供給機等の作動装置を提供できるようにしたものである。
【０００６】
しかして、請求項１記載の作動装置にあっては、カプセルに夫々収納されている複数種類の適宜玩具或いは景品類を、一個宛無作為に取出せるように構成されている供給機等の作動装置であって、供給機等の適宜位置に装着される作動装置のケース１と、所定向きに回転自在となるようケース１に装着される回転用摘み５と、この回転用摘み５の回転中心線に対して平行となる前後方向に摺動自在となるようケース１に装着されると共に、ケース１正面がわに出没して回転用摘み５に設けた係止凹部６に係脱自在に係止可能となる押ボタン１０とを有し、この押ボタン１０を押圧して後方に摺動せしめると、押込み状態維持機構が作動して、押ボタン１０の押込み状態が維持されると同時に、係止凹部６と押ボタン１０の係止状態が解除されて、回転用摘み５が所定向きに回転可能となるように形成し、そして回転用摘み５が一回転すると、回転用摘み５の摘み軸７に固定した連繋歯車３０に連繋されている適宜供給機構が作動して、カプセル入り玩具或いは景品類が供給機等の取出し口から取出せるようになると共に、押込み状態維持機構が解除されて、押ボタン１０が弾発スプリング１３の弾発力によって前方に摺動し、押ボタン１０が係止凹部６に係止されて回転用摘み５の回転を阻止できるように構成する手段を採用した。
【０００７】
また、請求項２記載の作動装置にあっては、前記押込み状態維持機構は、ケース１に固定された後部取付板２に装着されるロック用バネ２０と、回転用摘み５の摘み軸７に装着される回転体１５とからなり、ロック用バネ２０は、略中央部分が後部取付板２の支点部２２で支持されると共に、基端部分が後部取付板２の固定部２３に固定されて、先端がわ部分の係止杆部２１が押ボタン１０の押ボタン軸１１の外表面に常時圧接するように形成され、押ボタン１０を押圧して後方に摺動せしめたときに、押ボタン軸１１に周設した係止切欠溝１２に係止杆部２１が係止されて、押ボタン１０の摺動を阻止できるように形成し、回転体１５には、作動突起１９を設け、この作動突起１９は、回転用摘み５の回転によって係止杆部２１の先端部分をロック用バネ２０の弾発力に抗して弾き、係止杆部２１と係止切欠溝１２の係止状態を解除して、押込み状態維持機構の解除が行えるように構成する手段を採用した。
【０００８】
更に、請求項３記載の作動装置にあっては、後部取付板２に逆転防止ストッパー２５を揺動自在に装着すると共に、回転体１５に逆転防止突起１８を突設し、回転用摘み５が所定向きに対して反対の向きに回転しようとすると、逆転防止突起１８が逆転防止ストッパー２５の先端縁部分に当接して、回転用摘み５の逆向き回転が阻止されるように構成し、回転用摘み５が所定向きに回転すると、逆転防止突起１８が逆転防止ストッパー２５の側縁部分に当接すると共に、弾発スプリング２６の弾発力に抗して逆転防止ストッパー２５を揺動させながら、逆転防止突起１８が通過して、回転用摘み５が一回転できるように構成する手段を採用した。
【考案の効果】
【０００９】
従って、本考案の請求項１記載の作動装置によれば、コインを使用することなく作動させることができ、押ボタン１０を押圧してから回転用摘み５を一回転せしめるだけの簡単な一回の操作によって、一個宛無作為にカプセル入玩具（或いは景品）を取出せるようになる。すなわち、取扱いが容易で、使い勝手に優れ、確実な動作が期待でき、耐久性に優れた作動装置となる。しかも、構成が簡素で、量産に適し、経済的で、カプセル入玩具用供給機等の作動装置として最適なものとなる。
【００１０】
特に、コインを使用することなく作動させることができるため、例えば、パチンコ店に於いて景品交換をする際に生じた端玉（はしたの玉）と交換するための供給機として利用したり、或いは、各種イベント等でのプレゼントの抽選機として利用したりするのに最適なカプセル入玩具用供給機等の作動装置となる。
【００１１】
加えて、押ボタン１０を一回押圧した後、回転用摘み５が一回転すると、回転用摘み５を回転させることができなくなるため、不正な操作等が行い難いものとなる。
【００１２】
また、本考案の請求項２記載の作動装置によれば、押ボタン１０を押圧して後方に摺動せしめたときに、係止切欠溝１２に係止杆部２１が確実に且つスムーズに係止されて、押ボタン１０の摺動を確実に阻止できるようになり、しかも、回転用摘み５を回転せしめると、作動突起１９が係止杆部２１の先端部分をロック用バネ２０の弾発力に抗して弾いて、係止杆部２１と係止切欠溝１２の係止状態を確実に且つスムーズに解除して、押込み状態維持機構を解除できるようになる。
【００１３】
更に、本考案の請求項３記載の作動装置によれば、回転用摘み５の逆向き回転が、逆転防止突起１８と逆転防止ストッパー２５によって確実に阻止できるようになる。しかも、回転用摘み５を所定向きに回転させたときは、逆転防止突起１８が逆転防止ストッパー２５の側縁部分に当接すると共に、弾発スプリング２６の弾発力に抗して逆転防止ストッパー２５を揺動させながら、逆転防止突起１８が通過できるようになり、逆転防止ストッパー２５が邪魔になることなく、回転用摘み５が確実に且つスムーズに一回転できるようになる。
【考案を実施するための最良の形態】
【００１４】
以下、本考案を図示例に基づいて説明すると、次の通りである。
本考案は、略球体状のカプセル内に夫々収納されている複数種類の適宜玩具類（例えば、ミニチュアフィギア、ミニチュアキャラクター商品、ミニチュア模型、装身玩具、或いは、その他の玩具等）や、景品類（具体的な商品、或いは、クジや当選番号札等でも良い）を、一回の操作で一個宛無作為に取出せるように構成されている供給機（或いは、抽選機）に付設されている作動装置であって、この作動装置は、主に、パチンコ店、パチスロ店等の遊技場や、イベント会場や、福引会場や、その他の適宜店舗や会場内に設置されるカプセル入玩具用供給機等に適したものである。
特に、パチンコ店に於いて景品交換をする際に生じた端玉（はしたの玉）と交換すべく利用したり、或いは、適宜商品等をプレゼントすべく各種イベント会場等で利用したりする際のカプセル入玩具用供給機（或いは、抽選機）にあって、最適な作動装置となるものである。
【００１５】
具体的には、供給機等の正面の適宜位置に装着される作動装置のケース１と、このケース１に装着されると共に、所定向きに回転自在となるよう形成される回転用摘み５と、ケース１に装着されると共に、回転用摘み５の回転中心線に対して平行となる前後方向に摺動自在となるよう形成され、しかも、ケース１正面がわに出没して回転用摘み５に設けた係止凹部６に係脱自在に係止可能となるよう形成される押ボタン１０とを有するものである。
【００１６】
また、押ボタン１０を押圧して後方に摺動せしめると、押込み状態維持機構が作動して、押ボタン１０の押込み状態が維持されると同時に、係止凹部６と押ボタン１０の係止状態が解除されて、回転用摘み５が所定向きに回転可能となるように形成されている。
【００１７】
そして、回転用摘み５が一回転すると、回転用摘み５の摘み軸７に固定した連繋歯車３０に連繋されている適宜供給機構が作動して、カプセル入り玩具或いは景品類が供給機等の取出し口から取出せるようになると共に、押込み状態維持機構が解除されて、押ボタン１０が弾発スプリング１３の弾発力によって前方に摺動し、押ボタン１０が係止凹部６に係止されて回転用摘み５の回転を阻止できるように構成されている。すなわち、押ボタン１０の一回の押圧動作に対して、回転用摘み５が所定向きに一回転だけ回転し、一つのカプセル入り玩具或いは景品類を取出せるようにしたものである。
【００１８】
更に、前記押込み状態維持機構は、ケース１に固定された後部取付板２に装着されるロック用バネ２０と、回転用摘み５の摘み軸７に装着される回転体１５とからなっている。
そして、ロック用バネ２０は、略中央部分が後部取付板２の支点部２２で支持されると共に、基端部分が後部取付板２の固定部２３に固定されて、先端がわ部分の係止杆部２１が押ボタン１０の押ボタン軸１１の外表面に常時圧接するように形成されている。
しかも、押ボタン１０を押圧して後方に摺動せしめたときに、押ボタン軸１１に周設した係止切欠溝１２に係止杆部２１が係止されて、押ボタン１０の摺動を阻止できるように形成されている。
一方、回転体１５には、作動突起１９が設けられ、この作動突起１９は、回転用摘み５の回転によって係止杆部２１の先端部分をロック用バネ２０の弾発力に抗して弾き、係止杆部２１と係止切欠溝１２の係止状態を解除して、押込み状態維持機構の解除が行えるように構成されている。
すなわち、押ボタン１０を押圧するだけで、押ボタン１０の摺動を確実に阻止できるようになり、回転用摘み５を回転させるだけで、係止杆部２１と係止切欠溝１２の係止状態を確実に且つスムーズに解除して、押込み状態維持機構を解除できるように構成されている。
【００１９】
加えて、作動装置には、逆転防止ストッパー２５と、逆転防止突起１８とを有する逆転防止機構が設けられており、逆転防止ストッパー２５は、後部取付板２に揺動自在に装着され、逆転防止突起１８は、回転体１５に突設されている。
そして、回転用摘み５が所定向きに対して反対の向きに回転しようとすると、逆転防止突起１８が逆転防止ストッパー２５の先端縁部分に当接して、回転用摘み５の逆向き回転が阻止されるように構成されている。
一方、回転用摘み５が所定向きに回転すると、逆転防止突起１８が逆転防止ストッパー２５の側縁部分に当接すると共に、弾発スプリング２６の弾発力に抗して逆転防止ストッパー２５を揺動させながら、逆転防止突起１８が通過して、回転用摘み５が一回転できるように構成されている。
すなわち、回転用摘み５の逆向き回転が、逆転防止突起１８と逆転防止ストッパー２５によって確実に阻止でき、回転用摘み５を所定向きに回転させたときは、逆転防止突起１８が逆転防止ストッパー２５を揺動させるので、逆転防止ストッパー２５が邪魔になることなく、回転用摘み５を確実に且つスムーズに一回転できるように構成されている。
【実施例】
【００２０】
前記ケース１は、例えば、適宜金属材（或いは、適宜合成樹脂材、適宜複合材でも良い）によって構成されており、カプセル入玩具用供給機等の正面部分に装着されている。しかも、その正面がわ略中央には、回転用摘み５が所定向き（時計回転の向き）に回転自在に装着され、更に、その正面がわ略中央稍上部には、回転用摘み５の係止凹部６に係止可能な押ボタン１０が前後方向に摺動自在となるように装着されている。
【００２１】
前記後部取付板２は、例えば、適宜合成樹脂材（或いは、適宜金属材、適宜複合材でも良い）によって構成され、ケース１の後部開放部分を塞ぐように取付ネジ等によって固定されている。
【００２２】
前記回転用摘み５は、例えば、適宜合成樹脂材（或いは、適宜金属材、適宜複合材でも良い）によって構成され、回転用摘み５の上部には略半円弧状の係止凹部６が切設され、回転用摘み５の背面がわ中央には、適宜金属製の摘み軸７が連設されている。
尚、図中８は、摘み軸７の外表面に設けた回り止用面取部で、この回り止用面取部８によって、回転体１５や連繋歯車３０が、摘み軸７と一緒に回転するように構成されている。また、図中９は、摘み軸７に設けたリング溝に装着される抜止リングで、この抜止リング９は、ケース１の背面がわに位置して、回転用摘み５が前後方向にガタつかないように設けられている。
【００２３】
前記押ボタン１０は、例えば、適宜合成樹脂材（或いは、適宜金属材、適宜複合材でも良い）によって基端がわに抜け止めフランジが周設されているような略短円柱状に構成され、押ボタン１０の背面がわ中央には、適宜金属製の略円柱状の押ボタン軸１１が連設されている。
そして、押ボタン軸１１の外表面の所定位置には、一条の係止切欠溝１２が周設されており、更に、押ボタン軸１１を外装するように、ケース１と後部取付板２の間に略コイルスプリング状の弾発スプリング１３が縮装されている。すなわち、この弾発スプリング１３が、押ボタン１０の背面がわを常時圧迫して、押ボタン１０がケース１正面がわに常時突出するように弾発スプリング１３の弾発力が付勢されている。
【００２４】
前記回転体１５は、例えば、適宜合成樹脂材（或いは、適宜金属材、適宜複合材でも良い）によって構成されると共に、第１回転板１６と第２回転板１７とによって構成されている。そして、第１回転板１６は、略円盤状を呈し、摘み軸７に装着され、正面がわには、略短小円柱状で合成樹脂製の逆転防止突起１８が一体的に突設され、背面がわには、略短円柱状で金属製の作動突起１９が突設されている。一方、第２回転板１７は、略円盤状を呈し、第１回転板１６に対峙するように摘み軸７に装着されている。尚、回転体１５は一体的に構成したものであっても良い。
【００２５】
前記ロック用バネ２０は、例えば、弾性を備えた適宜金属線材によって構成されると共に、略ネジリコイルバネ状に構成されており、先端がわには略直線的に形成される係止杆部２１が設けられ、中央部分は略コイルスプリング状に巻回されて、後部取付板２の支点部２２に外装され、基端部分は後部取付板２の固定部２３に固定ネジ等を介して固定されている。
すなわち、ロック用バネ２０は、係止杆部２１が支点部２２を中心として弾性的に揺動すると共に、押ボタン１０の押ボタン軸１１に常時圧接するように、その弾発力が付勢されている。尚、係止杆部２１の先端部分は、適宜折曲形成されており、作動突起１９が安定的に接触できて、ロック用バネ２０の係止杆部２１を作動突起１９で確実に弾けるように構成されている。
【００２６】
前記逆転防止ストッパー２５は、例えば、適宜合成樹脂材（或いは、適宜金属材、適宜複合材でも良い）によって略帯板状に構成されており、その基端部分が後部取付板２に揺動自在に装着されている。
そして、弾発スプリング２６は、例えば、一端が後部取付板２に固定され、他端が逆転防止ストッパー２５に固定され、その引戻し弾発力によって逆転防止ストッパー２５の先端部分が摘み軸７がわに常時接近するように構成されている。
【００２７】
前記連繋歯車３０は、例えば、適宜合成樹脂材（或いは、適宜金属材、適宜複合材でも良い）によって略歯車状に構成されており、摘み軸７の端部に止ネジ等によって固定されている。しかも、回転用摘み５一回転したときに、カプセル入り玩具の適宜供給機構を確実に作動させて、一つのカプセル入玩具が供給機等の取出し口から取出せるように構成されている。
【００２８】
ところで、作動装置の具体的構成、ケース１の具体的構成、形状、寸法、材質、配設位置、後部取付板２の具体的構成、形状、寸法、材質、配設位置、回転用摘み５の具体的構成、形状、寸法、材質、配設位置、係止凹部６の具体的構成、形状、寸法、配設位置、摘み軸７の具体的構成、形状、寸法、材質、回り止用面取部８の具体的構成、形状、寸法、抜止リング９の具体的構成、形状、寸法、材質、配設位置、押ボタン１０の具体的構成、形状、寸法、材質、配設位置、押ボタン軸１１の具体的構成、形状、寸法、材質、係止切欠溝１２の具体的構成、形状、寸法、配設位置、弾発スプリング１３の具体的構成、形状、寸法、材質、配設位置、回転体１５の具体的構成、形状、寸法、材質、配設位置、第１回転板１６の具体的構成、形状、寸法、材質、第２回転板１７の具体的構成、形状、寸法、材質、逆転防止突起１８の具体的構成、形状、寸法、材質、配設位置、作動突起１９の具体的構成、形状、寸法、材質、配設位置、ロック用バネ２０の具体的構成、形状、寸法、材質、配設位置、係止杆部２１の具体的構成、形状、寸法、支点部２２の具体的構成、形状、寸法、配設位置、固定部２３の具体的構成、形状、寸法、配設位置、逆転防止ストッパー２５の具体的構成、形状、寸法、材質、配設位置、弾発スプリング２６の具体的構成、形状、寸法、材質、配設位置、連繋歯車３０の具体的構成、形状、寸法、材質、押込み状態維持機構の具体的構成、逆転防止機構の具体的構成、供給機構の具体的構成等は、図示例のもの等に限定されることなく適宜自由に設定、変更できるものである。
【図面の簡単な説明】
【００２９】
【図１】本考案の作動装置を例示する分解斜視図である。
【図２】本考案の作動装置を例示する一部切欠側面図である。
【図３】本考案の作動装置を例示する一部切欠背面図である。
【図４】本考案の作動装置を例示する正面図である。
【図５】本考案の作動装置を用いた供給機を例示する斜視図である。
【符号の説明】
【００３０】
１      ケース                ２      後部取付板
５      回転用摘み            ６      係止凹部
７      摘み軸                ８      回り止用面取部
９      抜止リング
１０    押ボタン              １１    押ボタン軸
１２    係止切欠溝            １３    弾発スプリング
１５    回転体                １６    第１回転板
１７    第２回転板            １８    逆転防止突起
１９    作動突起
２０    ロック用バネ          ２１    係止杆部
２２    支点部                ２３    固定部
２５    逆転防止ストッパー    ２６    弾発スプリング
３０    連繋歯車
【図１】
0003106926.tif 000003
【図２】
0003106926.tif 000004
【図３】
0003106926.tif 000005
【図４】
0003106926.tif 000006
【図５】
0003106926.tif 000007